(57)【要約】【課題】ミキサー装置等の音声信号処理装置において、モノラル出力系統の数を増やすことを可能とし、設定も簡単で、パネルも大きくしない。【解決手段】ステレオ信号Ｌ，Ｒを２連ボリューム１３を介してＬ信号線１１′とＲ信号線１２′に出力する。第１のモードでモード切替スイッチ１４，１５をオフにしてＬ信号線１１，１１′と、Ｒ信号線１２，１２′をそれぞれステレオマトリックス１０に接続し、ステレオ出力系統として用いる。第２のモードでモード切替スイッチ１４，１５をオンにし、Ｌ信号線１１′をＲ信号線１２′に接続し、Ｒ信号線１２′をＬ信号線１１′に接続する。ステレオ信号Ｌ，ＲをＬ信号線１１′，Ｒ信号線１２′においてそれぞれミックス（混合）して、おのおのモノラル信号とする。【選択図】　　　図１
2004120321.tif 000002
【特許請求の範囲】
【請求項１】
複数の音声信号を同時に扱うための複数系統の信号送信処理部と、
前記信号送信処理部を通過させた信号を別々に出力させる出力系統処理部と、
を有した音声信号処理装置において、
前記複数系統の信号送信処理部は少なくと２つの音声信号を同時に制御可能な同時制御操作子と、
前記複数系統の信号送信処理部における個々の系統の信号を別の系統の信号に混合するか否かを選択するモード制御操作子と、
を有し、
前記モード制御操作子で第１のモードが選択されたときは、音声信号を前記同時制御操作子で制御された状態で前記出力系統処理部に個々に出力し、
前記モード制御操作子で第２のモードが選択されたときは、音声信号を前記同時制御操作子で制御された状態で前記出力系統処理部に混合したものとして出力する
ことを特徴とする音声信号処理装置。
【請求項２】
前記複数系統の信号処理部と前記出力系統処理部が複数組あることを特徴とする請求項１記載の音声信号処理装置。
【請求項３】
前記同時制御操作子が同軸の回転式ボリュームであることを特徴とする請求項１記載の音声信号処理装置。
【発明の詳細な説明】
【０００１】
【発明の属する技術分野】
本発明は、複数の音声信号を複数系統の信号送信処理部を通過させて別々に出力させるミキサー装置等の音声信号処理装置に関する。
【０００２】
【従来の技術】
従来、ミキサー装置の回路として図２及び図３に示すものがある。図２の回路では、ミキサー装置内部で扱うステレオ信号をステレオマトリックス（ステレオバス）１０に送り、ステレオ信号のまま外部に出力させる信号送信処理部２０を複数有している。また、内部で扱うステレオ信号を混合してモノラル信号を作り、その作った信号をモノラルマトリックス（モノラルバス）に送ってモノラル信号を出力させる回路を別に複数系統有するものもあった。
【０００３】
また、図３の回路では、図２の回路と同様な機能を有するとともに、単ボリューム３０を各々の信号線に入れるとともに各々の信号線を分岐させ、単ボリューム３０の操作により、ステレオ信号とモノラル信号を任意に生成させてステレオマトリックス１０に送り、ステレオとモノラルの信号を選択してステレオマトリックス１０に出力することができる。
【０００４】
【特許文献１】
特開平５−２５１９５０号公報
【０００５】
【発明が解決しようとする課題】
この種のミキサー装置は、
様々なコンサートやミュージカルなどで使用され、使われ方の様々であり、ステレオ出力系統はほとんど使わず、多くのモノラルの出力系統を必要とすることがある。
【０００６】
しかし、前記図２の従来の回路では、用意されているモノラルマトリックスの数以上にモノラルの出力系統が必要となった場合は対応することができないという問題がある。また、前記図３の従来の回路では、ステレオマトリックスのモノラル信号の出力系統として使うことができ、通常のモノラルマトリックスが足りないときも、そのモノラル出力の数を増やすことができるが、制御操作子が多くなり、ミキサー装置の設定が煩雑であり、パネルも大きくなりがちであった。
【０００７】
本発明は、モノラル出力系統の数を増やすことが可能であって、設定も簡単で、パネルも大きくならないミキサー装置が得られる音声信号処理装置を提供することを課題とする。
【０００８】
【課題を解決するための手段】
本発明の請求項１の音声信号処理装置は、複数の音声信号を同時に扱うための複数系統の信号送信処理部と、前記信号送信処理部を通過させた信号を別々に出力させる出力系統処理部と、を有した音声信号処理装置において、前記複数系統の信号送信処理部は少なくと２つの音声信号を同時に制御可能な同時制御操作子と、前記複数系統の信号送信処理部における個々の系統の信号を別の系統の信号に混合するか否かを選択するモード制御操作子と、を有し、前記モード制御操作子で第１のモードが選択されたときは、音声信号を前記同時制御操作子で制御された状態で前記出力系統処理部に個々に出力し、前記モード制御操作子で第２のモードが選択されたときは、音声信号を前記同時制御操作子で制御された状態で前記出力系統処理部に混合したものとして出力することを特徴とする。
【０００９】
モード制御操作子で第１のモードを選択し、音声信号を同時制御操作子で制御された状態で出力系統処理部に個々に出力してステレオ出力とする。また、モード制御操作子で第２のモードを選択し、音声信号を同時制御操作子で制御された状態で出力系統処理部に混合したものとして出力してモノラル出力とする。すなわち、マトリックスＬ，Ｒの２つの出力信号を各々モノラルの出力信号として利用できる。
【００１０】
また、前記複数の音声信号はステレオ信号としてもよいし、前記複数系統の信号処理部と前記出力系統処理部が複数組（ステレオマトリックス等）あることよい。さらに、同時制御操作子を同軸の回転式ボリュームとして、パネル上での省スペースを図るとさらによい。
【００１１】
【発明の実施の形態】
以下、図面を参照して本発明の実施形態について説明する。図１は実施形態の音声信号処理装置における要部回路図であり、この実施形態の音声信号処理装置はミキサー装置である。図では信号送信処理部１を２回路だけ図示してあるが、この信号送信処理部１は例えば４回路（４系統）などのように複数系統備えている。信号送信処理部１において、複数のステレオ信号Ｌ，Ｒ（複数の音声信号）を入力するＬ信号線１１とＲ信号線１２はそれぞれ２連ボリューム１３に入力される。この２連ボリューム１３は図示しない２つの操作子が同軸の回転式ボリュームであり、２つの操作子を同時に操作してステレオ信号Ｌ，Ｒの音量を調整することができる。なお、ステレオ信号Ｌ，Ｒは、複数の入力ポートからの複数の信号をミックスして出力させるグループアウトと呼ばれる信号等である。
【００１２】
２連ボリューム１３を経たＬ信号線１１′とＲ信号線１２′はには、モード制御操作子としてのモード切替スイッチ１４，１５がそれぞれ接続されており、Ｌ信号線１１′はモード切替スイッチ１４を介してＲ信号線１２′に接続され、Ｒ信号線１２′はモード切替スイッチ１５を介してＬ信号線１１′に接続されている。なお、モード切替スイッチ１４，１５は所定の操作子の操作で同時にオン／オフするが、この操作子は専用のスイッチ操作子でもよいし、他の機能を制御するスイッチ操作子を兼用するようなものでもよい。
【００１３】
モード切替スイッチ１４，１５をオフ（図１の状態）にすると、Ｌ信号線１１，１１′と、Ｒ信号線１２，１２′はそれぞれ加算器１６を介してステレオマトリックス（ステレオバス）１０に接続され、ステレオ信号Ｌ，Ｒはそれぞれ独立にステレオマトリックス（ステレオバス）１０に供給される。これが第１のモードである。
【００１４】
一方、モード切替スイッチ１４，１５をオンにすると、Ｌ信号線１１′はＲ信号線１２′に接続されるとともに、Ｒ信号線１２′はＬ信号線１１′に接続され、それぞれ加算器１６を介してステレオマトリックス（ステレオバス）１０に接続される。これが第２のモードである。したがって、この第２のモードでは、ステレオ信号Ｌ，Ｒは、Ｌ信号線１１′，Ｒ信号線１２′においてそれぞれミックス（混合）され、この混合された信号すなわちモノラル信号がステレオマトリックス（ステレオバス）１０に供給される。なお、ステレオマトリックス（ステレオバス）１０が出力系統処理部である。また、モノラル出力専用のモノラル出力系統は図示や省略するが、例えば別途８系統だけ持っている。
【００１５】
したがって、モード切替スイッチ１４，１５をオンにすることにより、１つの信号送信処理部１で２系統のモノラル出力を得ることができ、必要に応じて、このステレオ出力系統を利用して、モノラル出力系統の数を増やすことが可能となる。例えば、信号送信処理部１（ステレオ出力系統）を４系統あれば、モノラル出力系統を最大で８系統だけ増やすことができる。
【００１６】
また、２連ボリュームを使っているので、ミキサー装置のパネル面の操作子の数（配置数）も少なくなるので、設定も簡単で、パネルも大きくならない。
【００１７】
なお、上記実施形態ではモード切替スイッチ１４，１５を同時にオン／オフするようにしているが、それぞれ独立にオン／オフするものでもよい。さらに、第２モードの時に、Ｌ，Ｒの信号が混合されステレオマトリックス１０の出力レベルが上昇するが、モード切替スイッチ１４，１５のオンと同時に、加算器１６のゲインを下げるようにすれば、第１のモードと第２のモードのレベルを一定にすることができる。
【００１８】
【発明の効果】
本発明の音声信号処理装置によれば、第１のモードで音声信号を同時制御操作子で制御された状態で出力系統処理部に個々に出力してステレオ出力とし、第２のモードで音声信号を同時制御操作子で制御された状態で出力系統処理部に混合したものとして出力してモノラル出力とするようにしたので、モノラル出力系統の数を増やすことが可能となる。
【００１９】
また、同時制御操作子を同軸の回転式ボリュームとしたので、設定も簡単で、パネルも大きくならないミキサー装置が得られる。
【図面の簡単な説明】
【図１】本発明の実施形態における音声信号処理装置の要部回路図である。
【図２】従来のミキサー装置の要部回路図である。
【図３】従来の他のミキサー装置の要部回路図である。
【符号の説明】
１…信号送信処理部、１０…ステレオマトリックス、１１，１１′…Ｌ信号線、１２，１２′…Ｒ信号線、１３…２連ボリューム、１４，１５…モード切替スイッチ
【図１】
2004120321.tif 000003
【図２】
2004120321.tif 000004
【図３】
2004120321.tif 000005